(57)【特許請求の範囲】
【請求項１】
記録媒体が挿入されてこの記録媒体を保持するホルダ部材と、
上記ホルダ部材の近傍に配設されたジンバルバネにより、上記ホルダ部材に保持された記録媒体に対して接離可能となされて支持されたヘッド装置と、
上記ホルダ部材に対して上記記録媒体の挿脱方向に移動可能に配設され、上記ジンバルバネを変位させるとともに、上記ヘッド装置を当該ヘッド操作部材上に載置して支持することにより上記ヘッド装置の上記ホルダ部材内への進入を阻止する第１の位置と、上記ヘッド装置の上記ホルダ部材内への進入を可能となす第２の位置とに亘って移動操作可能なヘッド操作部材と、
上記ヘッド操作部材を上記第１の位置とする方向に付勢する付勢部材と、
上記ヘッド操作部材に設けられ、上記ホルダ部材に挿入される記録媒体に当接されて、上記ヘッド操作部材を上記第２の位置へ移動させる当接部材とを備え、
上記ヘッド操作部材は、上記記録媒体の上記ホルダ部材への挿入操作に応じて、上記付勢部材による付勢力に抗して上記第１の位置より上記第２の位置へ移動操作されるとともに、上記付勢部材の付勢力によって、上記記録媒体を上記ホルダ部材の外方側に押圧付勢することとなされたディスクドライブ装置。
【請求項２】
さらに、後端側がシャーシに対して回動可能に支持され上記ホルダ部材と上記ヘッド装置とを覆う上蓋が設けられ、
上記ホルダ部材は上記シャーシに対して後端側が回動可能に支持され、上記上蓋が開蓋位置に移動することにより当該シャーシより離間する方向に移動され、上記上蓋が閉蓋位置に移動することにより上記シャーシに近接する方向に移動されることを特徴とする請求項１記載のディスクドライブ装置。
【発明の詳細な説明】
【０００１】
【産業上の利用分野】
本発明は、ディスクカートリッジの如き記録媒体を用いて情報信号の記録及び再生を行う記録及び再生装置を構成するディスクドライブ装置に関する。
【０００２】
【従来の技術】
従来、光ディスク、磁気ディスク、または、光磁気ディスクの如き記録ディスクをカートリッジに収納して構成されたディスクカートリッジを記録媒体として用い、情報信号の記録及び再生を行うように構成された記録及び再生装置が提案されている。
【０００３】
上記記録媒体として光磁気ディスクをカートリッジに収納して構成されたディスクカートリッジを用いる記録及び再生装置は、光学ピックアップ装置及び磁気ヘッド装置を有して構成された記録再生部を備えている。この記録再生部は、この記録及び再生装置のシャーシ上に配設されている。上記光学ピックアップ装置は、上記シャーシに支持されて上方側に向けて配設されている。上記磁気ヘッド装置は、上記光学ピックアップ装置に基端側を支持されたヘッドアームの先端側に、ジンバルバネ（リミッタバネ）を介して取り付けられ、該光学ピックアップ装置の対物レンズに対向して下方側に向けて配設されている。
【０００４】
そして、この記録及び再生装置は、上記ディスクカートリッジを保持して、このディスクカートリッジを上記記録再生部に装着させるためのホルダ部材としてカートリッジホルダを備えている。
【０００５】
上記カートリッジホルダは、上記ディスクカートリッジが前方側より挿入されてこのディスクカートリッジを保持し得る薄い筐体状に構成され、後端側を上記シャーシに回動可能に支持されている。このカートリッジホルダは、上記光学ピックアップ装置と上記磁気ヘッド装置との間に位置して配設されている。このカートリッジホルダは、上記シャーシより上方側に離間されたアンローディング位置となされているときに、上記ディスクカートリッジの挿入操作及び取り出し操作をなされる。そして、このカートリッジホルダは、上記ディスクカートリッジを保持している状態で、上記シャーシに近接されたローディング位置となされると、このディスクカートリッジを、上記記録再生部に装着させる。
【０００６】
そして、この記録及び再生装置においては、上記カートリッジホルダ及び上記ヘッドアーム上には、上蓋が配設されている。この上蓋は、上記カートリッジホルダ及び上記ヘッドアームを覆い得るように下方側が開放された略々筐体状に構成され、後端側を回動可能に支持されている。この上蓋は、上記シャーシより離間する上方側に回動されて開蓋されると、上記カートリッジホルダを吊り上げて回動させて、上記アンローディング位置となすようになされている。
【０００７】
上記記録再生部において、上記ヘッド装置は、上記カートリッジホルダが上記ローディング位置となされたときに、このカートリッジホルダに開設された透孔を介して、上方側よりこのカートリッジホルダ内に進入され、上記ディスクカートリッジを構成する記録ディスクに近接される。そして、このヘッド装置は、上記カートリッジホルダが上記アンローディング位置となされたとき、及び、再生専用に構成されたディスクカートリッジが該カートリッジホルダに挿入されたときには、上記ヘッドアームが上方側に回動操作されることにより、上記カートリッジホルダ内より上方側に退出される。
【０００８】
【発明が解決しようとする課題】
ところで、上述のような記録及び再生装置においては、上記上蓋が開蓋状態となされて上記カートリッジホルダが上記アンローディング位置となされたとき、及び、再生専用のディスクカートリッジが該カートリッジホルダに挿入されたときには、上記磁気ヘッド装置は、これらカートリッジホルダと上蓋との間に位置し、該カートリッジホルダに挿入操作されるディスクカートリッジに衝突されないようになされている。
【０００９】
ところが、このとき、上記カートリッジホルダまたは上記上蓋が外力により回動されて、これらカートリッジホルダと上蓋とが互いに接近されると、上記磁気ヘッド装置は、該カートリッジホルダ内に進入されてしまう虞れがある。このような状態で上記ディスクカートリッジの上記カートリッジホルダへの挿入操作が行われると、このディスクカートリッジが上記磁気ヘッド装置に衝突して、この磁気ヘッド装置が破損される虞れがある。このような上記カートリッジホルダの回動は、このカートリッジホルダに上記ディスクカートリッジが挿入されるときの、これらカートリッジホルダとディスクカートリッジとの間の摩擦により生ずる虞れがある。
【００１０】
また、この記録及び再生装置においては、上記カートリッジホルダに上記ディスクカートリッジが挿入されていないとき、外方より振動や衝撃が伝幡すると、上記磁気ヘッド装置を支持しているジンバルバネが振動、または、過剰に変位し、塑性変形や破損を生ずる虞れがある。
【００１１】
そこで、本発明は、上述の実情に鑑みて提案されるものであって、記録及び再生装置において、ホルダ部材へ挿入操作される記録媒体のヘッド装置への衝突を確実に防止できるとともに、該ヘッド装置を支持するジンバルバネを振動や衝撃より保護できるようになされたディスクドライブ装置を提供することを目的とする。
【００１２】
【課題を解決するための手段】
上述の課題を解決し上記目的を達成するため、本発明に係るディスクドライブ装置は、記録媒体が挿入されてこの記録媒体を保持するホルダ部材と、上記ホルダ部材の近傍に配設されたジンバルバネにより、上記ホルダ部材に保持された記録媒体に対して接離可能となされて支持されたヘッド装置と、上記ホルダ部材に対して上記記録媒体の挿脱方向に移動可能に配設され、上記ジンバルバネを変位させるとともに、上記ヘッド装置を当該ヘッド操作部材上に載置して支持することにより上記ヘッド装置の上記ホルダ部材内への進入を阻止する第１の位置と、上記ヘッド装置の上記ホルダ部材内への進入を可能となす第２の位置とに亘って移動操作可能なヘッド操作部材と、上記ヘッド操作部材を上記第１の位置とする方向に付勢する付勢部材と、上記ヘッド操作部材に設けられ、上記ホルダ部材に挿入される記録媒体に当接されて、上記ヘッド操作部材を上記第２の位置へ移動させる当接部材とを備え、上記ヘッド操作部材は、上記記録媒体の上記ホルダ部材への挿入操作に応じて、上記付勢部材による付勢力に抗して上記第１の位置より上記第２の位置へ移動操作されるとともに、上記付勢部材の付勢力によって、上記記録媒体を上記ホルダ部材の外方側に押圧付勢するようにしたものである。
【００１３】
【作用】
本発明に係るディスクドライブ装置においては、記録媒体が挿入されてこの記録媒体を保持するホルダ部材に対して記録媒体の挿脱方向に移動可能に配設され該ホルダ部材内へのヘッド装置の進入を阻止する第１の位置と該ホルダ部材内への該ヘッド装置の進入を可能となす第２の位置とに亘って移動操作可能なヘッド操作部材は、該ホルダ部材に該記録媒体が挿入操作されていないときには、付勢部材の付勢力によって、該第１の位置となされ、該ヘッド位置を保持するとともに、該ホルダ部材に挿入される記録媒体が該ヘッド装置に衝突することを確実に防止する。
【００１４】
【実施例】
以下、本発明の具体的な実施例を図面を参照しながら説明する。
【００１５】
この例は、本発明に係るディスクドライブ装置を、光磁気ディスクをカートリッジに収納して構成された記録再生兼用のディスクカートリッジを記録媒体として用いた情報信号の記録及び再生、並びに、光ディスクをカートリッジに収納して構成された再生専用のディスクカートリッジを記録媒体として用いた情報信号の再生を行う記録及び再生装置の構成に適用した例である。
【００１６】
［１］ディスクカートリッジの構成
この記録及び再生装置において使用される光磁気ディスクは、直径が例えば６４ｍｍ程度、あるいは、これより大径の、ポリカーボネイト、アクリルの如き透明合成樹脂材料、または、硝子材料よりなる円盤状のディスク基板に、磁性材料からなる信号記録層が被着形成されて構成されている。この信号記録層は、集光されたレーザビームの照射等の手段により局所的にいわゆるキュリー温度以上に加熱され、この加熱された部分に外部磁界が印加されることにより、情報信号の書き込みをなされる。このように書き込まれた情報信号は、上記信号記録層にレーザビームの如き直線偏光光束を照射し、この光束の反射光束についての該記信号記録層におけるいわゆるカー効果による偏光方向の回転角度を検出することにより、読み出すことができる。
【００１７】
また、上記光ディスクは、上記光磁気ディスクのディスク基板と同様のディスク基板に、アルミニウムの如き金属材料よりなる反射層が被着形成されて構成されている。この光ディスクのディスク基板には、射出成形等の手段により、情報信号に対応した微細なピット列が形成されている。この光ディスクに書き込まれている情報信号は、上記ピット列にレーザビームの如きコヒーレント光光束を照射し、この光束の反射光束についての該記信号記録層における拡散や干渉による光量の変化量を検出することにより、読み出すことができる。
【００１８】
上記光磁気ディスク、または、上記光ディスクである記録ディスクの中央部分には、図９及び図１１に示すように、円形のチャッキング用透孔１０４が開設されている。そして、上記記録ディスクには、上記チャッキング用透孔１０４を上方側より閉蓋するようにして、このチャッキング用透孔１０４に略々対応した直径の円盤状のチャッキングプレート１０２が取り付けられている。このチャッキングプレート１０２は、鉄、ステンレスの如き磁性を有する金属材料により形成されている。
【００１９】
上記記録ディスクは、ディスクプレーヤ装置の如きこの記録ディスクに対して情報信号の記録、または、再生を行う記録再生装置において、回転操作されるディスクテーブルの上面部に形成された円錐台状の突起部により、上記チャッキング用透孔１０４を基準として、ディスク基板の主面部に沿う方向の位置決め、すなわち、センタリングをなされる。また、上記記録ディスクは、上記ディスクテーブルに内蔵されたマグネットにより、上記チャッキングプレート１０２を吸引され、該ディスクテーブル上に保持される。このとき、上記ディスクテーブルの上記突起部の周囲部分は、上記記録ディスクの上記チャッキング用透孔１０４の周囲部分を当接支持し、上記ディスク基板の主面部に垂直な方向、すなわち、高さ位置の位置決めを行う。
【００２０】
そして、上記光磁気ディスクは、図８及び図９に示すように、カートリッジ１０５に回転可能に収納されて、情報信号の記録再生兼用のディスクカートリッジ１２０を構成する。また、上記光ディスクは、図１０及び図１１に示すように、カートリッジ１１６に回転可能に収納されて、情報信号の再生専用のディスクカートリッジ１２１を構成する。
【００２１】
上記光磁気ディスクを収納して記録再生兼用のディスクカートリッジ１２０を構成する上記カートリッジ１０５は、上ハーフ及び下ハーフが突き合わせ結合されることにより、一辺の長さが該光磁気ディスクの直径に略々対応した矩形状の主面部を有する薄い筐体状に構成されている。このカートリッジ１０５は、図８に示すように、上面側の主面部に、上記光磁気ディスクの信号記録面の一部を外方に臨ませるための磁気ヘッド用開口部１２３を有している。この磁気ヘッド用開口部１２３は、上記上ハーフの主面部の略々中央部分より、この主面部の一側縁部近傍に亘って、長方形状に形成されている。また、このカートリッジ１０５は、下面側の主面部の上記磁気ヘッド用開口部１２３に対向する位置に光学ピックアップ用開口部１２２を有し、この下面側の主面部の略々中央部分にチャッキング用開口部１１３を有している。このチャッキング用開口部１１３は、上記チャッキング用透孔１０４及び上記チャッキングプレート１０２を外方に臨ませている。この記録再生兼用のディスクカートリッジ１２０は、上記記録再生装置に対して、図８及び図９中矢印Ｅで示すように、前方方向に挿入されて装着される。
【００２２】
上記記録再生兼用のディスクカートリッジ１２０のカートリッジ１０５において、上記磁気ヘッド用開口部１２３及び上記光学ピックアップ用開口部１２２は、シャッタ部材１０６に依って開閉可能となされている。このシャッタ部材１０６は、これら開口部１２３，１２２に対応した互いに平行に相対向された上側及び下側蓋板部と、これら各蓋板部の一端側同士間を連結する被支持板部とを有して、薄い金属板材料により、一体的に構成されている。このシャッタ部材１０６は、上記被支持板部を、上記カートリッジ１０５の一側部に前後方向に亘って形成されたガイド溝部１０７に沿って摺動可能に支持されている。
【００２３】
上記シャッタ部材１０６は、上記カートリッジ１０５の一側縁部に沿って後方にスライドされることにより上記各開口部１２３，１２２を開蓋し、後方側より前方にスライドされて初期位置に復帰されると上記各蓋板部により該各開口部１２３，１２２を閉蓋する。なお、上記カートリッジ１０５の上下主面部において、上記各蓋板部が移動する領域には、該各蓋板部の厚さに対応した深さの凹部が形成されている。したがって、上記各蓋板部は、上記凹部内に位置することによって、上記カートリッジ１０５の主面部に対して面一な状態となされている。また、上記カートリッジ１０５の上側の主面部には、上記凹部が形成された領域の外に、ラベル貼付領域１１５が形成されている。このラベル貼付領域１１５は、貼付されるラベルの厚さに対応した深さを有し該ラベルの形状に対応した形状の凹部として形成されている。
【００２４】
そして、上記光ディスクを収納して再生専用のディスクカートリッジ１２１を構成する上記カートリッジ１１６は、上ハーフ及び下ハーフが突き合わせ結合されることにより、一辺の長さが該光磁気ディスクの直径に略々対応した矩形状の主面部を有する薄い筐体状に構成されている。このカートリッジ１１６は、下面側の主面部に、上記光ディスクの信号記録面の一部を外方に臨ませるための光学ピックアップ用開口部１２２を有している。この光学ピックアップ用開口部１２２は、上記下ハーフの主面部の略々中央部分より、この主面部の一側縁部近傍に亘って、長方形状に形成されている。また、このカートリッジ１０５は、下面側の主面部の略々中央部分にチャッキング用開口部１１３を有している。このチャッキング用開口部１１３は、上記チャッキング用透孔１０４及び上記チャッキングプレート１０２を外方に臨ませている。この再生専用のディスクカートリッジ１２１は、上記記録再生装置に対して、図１０及び図１１中矢印Ｅで示すように、前方方向に挿入されて装着される。
【００２５】
上記再生専用のディスクカートリッジ１２１のカートリッジ１１６において、上記上記光学ピックアップ用開口部１２２は、シャッタ部材１１７に依って開閉可能となされている。このシャッタ部材１１７は、上記開口部１２２に対応した下側蓋板と、この下側蓋板部の一端側に連設された被支持板部とを有して、薄い金属板材料により、一体的に構成されている。このシャッタ部材１１７は、上記被支持板部を、上記カートリッジ１１６の一側部に前後方向に亘って形成されたガイド溝部１０７に沿って摺動可能に支持されている。
【００２６】
上記シャッタ部材１１７は、上記カートリッジ１０５の一側縁部に沿って後方にスライドされることにより上記光学ピックアップ用開口部１２２を開蓋し、後方側より前方にスライドされて初期位置に復帰されると上記下側蓋板部により該光学ピックアップ用開口部１２２を閉蓋する。なお、上記カートリッジ１１６の下側主面部において、上記下側蓋板部が移動する領域には、該下側蓋板部の厚さに対応した深さの凹部が形成されている。したがって、上記下側蓋板部は、上記凹部内に位置することによって、上記カートリッジ１１６の下側の主面部に対して面一な状態となされている。また、上記カートリッジ１１６の上側の主面部には、略々全面に亘って、ラベル貼付領域１１９が形成されている。このラベル貼付領域１１９は、貼付されるラベルの厚さに対応した深さを有し該ラベルの形状に対応した形状の凹部として形成されている。
【００２７】
上記各シャッタ部材１０６，１１７には、上記被支持板部の略々中央位置に、側方側に向けて、閉蓋操作孔１０８が開設されている。この閉蓋操作孔１０８は、上記記録再生装置において上記各シャッタ部材１０６，１１７を閉蓋操作するためのシャッタ閉蓋爪が嵌入係合するための透孔である。
【００２８】
なお、上記ガイド溝部１０７は、上記カートリッジ１０５，１１７の前端面部にまで亘って形成され、この前端面部対し開放されている。
【００２９】
上記カートリッジ１０５，１１６内には、前方側の一側側部分に位置して、ロック部材が配設されている。このロック部材は、支軸部と、この支軸部より突出形成された支持腕部及びロック腕部とを有して、合成樹脂材料により、一体的に形成されている。このロック部材は、上記支軸部を、上記カートリッジ１０５，１１６内の嵌合凹部に嵌合させて配設されている。そして、このロック部材は、上記支持腕部を上記カートリッジ１０５，１１６内に突設された壁部に当接させて上記支軸部回りの回動を阻止された状態で、上記ロック腕部を上記ガイド溝部１０７内に内側側より臨ませている。このロック腕部は、上記ロック部材の弾性力により、外方側に弾性付勢されている。
【００３０】
上記ロック腕部は、上記シャッタ部材１０６，１１７が上記各開口部１２３，１２２を閉蓋する位置である閉蓋位置にあるときに、このシャッタ部材１０６，１１７に係合し、このシャッタ部材１０６，１１７が後方側、すなわち、上記各開口部１２３，１２２を開蓋させる方向へ移動することを阻止する。
【００３１】
そして、このロック腕部は、上記ロック部材の弾性力に抗して内方側に変位されると、上記シャッタ部材１０６，１１７の第１のガイド爪への係合を解除し、このシャッタ部材１０６，１１７が後方側へ移動することを可能となす。
【００３２】
また、このロック腕部は、上記シャッタ部材１０６，１１７が後方の開蓋位置より前方側に移動されて上記閉蓋位置に至ると、上記ロック部材の弾性力により、該シャッタ部材１０６，１１７に係合する。
【００３３】
そして、上記各カートリッジ１０５，１１６の下側主面部には、対をなす前方側及び後方側位置決め穴１０９，１１０が形成されている。上記前方側位置決め穴１０９は、上記光学ピックアップ用開口部１２２の前方側の主面部の縁部近傍に位置しており、長径方向が前後方向となされた長円形に形成されている。また、上記後方側位置決め穴１１０は、上記光学ピックアップ用開口部１２２の後方側の主面部の縁部近傍に位置しており、円形に形成されている。
【００３４】
また、上記各カートリッジ１０５，１１６の下側主面部後方側の他側側の縁部近傍には、複数の識別用穴１２４が形成されている。これら識別用穴１２４は、これらカートリッジ１０５，１１６が収納している記録ディスクの種別や状態、例えば情報信号の記録が可能か否かを識別するためのものである。
【００３５】
上記記録再生兼用のディスクカートリッジ１２０のカートリッジ１０５内には、上記識別用穴１２４に対応して、セーブノッチが配設されている。このセーブノッチは、上記カートリッジ１０５の後面部に開設された操作孔１１４を介して、後方側の外方に臨んでいる。このセーブノッチは、上記操作孔１１４を介して移動操作されることにより、上記識別用穴１２４のうちの一の内方位置に対して進退し、この識別用穴１２４の深さを変えて、情報信号の記録可否の識別状態を切り換える。さらに、これら各カートリッジ１０５，１１６の下側主面部前方側の両側側の縁部には、一対の係合凹部１１２，１１２が形成されている。
【００３６】
上記記録再生兼用のディスクカートリッジ１２０のカートリッジ１０５においては、下側主面部の前方側縁部に、光磁気ディスク識別凹部１１１が形成されている。また、上記再生専用のディスクカートリッジ１２１のカートリッジ１１６においては、下側主面部の前方側縁部に、光ディスク識別凹部１１８が形成されている。これら光磁気ディスク識別凹部１１１と光ディスク識別凹部１１８とは、互いに下側主面部よりの深さが異なっており、この深さの違いにより、収納されている記録ディスクが上記光磁気ディスクか上記光ディスクかを識別できるようになされている。
【００３７】
［２］記録及び再生装置の構成の概要
この記録及び再生装置は図１に示すように、外筐本体１及び上蓋２からなる外筐体を有して構成される。上記外筐本体１は、上面側が開放されて構成されており、この上面側を上記上蓋２により開閉可能となされている。上記上蓋２は、後端側を、上記外筐本体１の後端側に対して、上蓋支軸３を介して回動可能に支持されている。この上蓋２は、図１中矢印Ａで示すように、上記上蓋支軸３を中心に上方側に回動操作されることにより、上記外筐本体１の上面側を開蓋する。なお、上記上蓋２は、上記外筐本体１に対し、掛止部材により閉蓋状態に掛止され、該外筐本体１に設けられた掛止解除ノブ９を操作することにより、該掛止部材による掛止を解除される。
【００３８】
この記録及び再生装置においては、上記上蓋２を開蓋して、上記外筐体内に上記記録再生兼用のディスクカートリッジ１２０または再生専用のディスクカートリッジ１２１を装着することにより、上記光磁気ディスクに対する情報信号の記録または再生、並びに、上記光ディスクよりの情報信号の再生を行うことができる。
【００３９】
上記外筐体の外面部には、この記録及び再生装置に対して種々の動作モードの実行を指示するための複数の操作釦が配設されている。すなわち、上記外筐体の外面部には、再生釦４、停止釦５、フォワードトラックジャンプ釦６、リバーストラックジャンプ釦７、録音釦８が配設され、これら各釦は、上記外筐体内に配設されこの記録及び再生装置の動作を制御する制御回路に接続されている。また、上記外筐体外面部には、上記制御回路または上記外筐体内に配設される信号処理回路に接続された複数の接続ジャック１０，１２，１３，１４が設けられている。これら接続ジャックは、情報信号の出力用、情報信号の入力用、リモートコントロール信号の入力用に使用されるものである。また、上記上蓋２の上面部には、上記制御回路に接続され、種々の情報を文字や図形により表示する表示デバイス１１が配設されている。
【００４０】
さらに、上記外筐体には、この記録及び再生装置に駆動電源を供給するための電池が収納される電池室１５が設けられている。
【００４１】
［３］記録及び再生装置の構成
上記外筐本体１内には、図２、図３、図５及至図７に示すように、略々平板状のシャーシ１６が固定して配設されている。このシャーシ１６上には、上記各ディスクカートリッジ１２０，１２１を位置決めして保持するためのディスクテーブル２５及びカートリッジ位置決めピン１７，１８が配設されている。
【００４２】
上記ディスクテーブル２５は、上記シャーシ１６の下面部に取り付けられたスピンドルモータ２４の駆動軸に取り付けられている。この駆動軸は、上記シャーシ１６に設けられた透孔を介して、このシャーシ１６の上面側に突出されている。
【００４３】
上記ディスクテーブル２５は、略々円盤状に形成されており、上記カートリッジ１０５，１１６のチャッキング用開口部１１３を介して該カートリッジ１０５，１１６内に進入され得るようになされている。このディスクテーブル２５は、上面部に上記チャッキング孔１０４に嵌入する突起部及び上記チャッキングプレート１０２を吸引するマグネットを有している。
【００４４】
このディスクテーブル２５は、上記チャッキング用開口部１１３を介して上記カートリッジ１０５，１１６内に進入すると、外周縁部近傍に上記チャッキング孔１０４の周囲部を載置させるとともに、上記突起部を該チャッキング孔１０４内に嵌入させ、さらに、上記マグネットにより上記チャッキングプレート１０２を吸引することによって、上記光磁気ディスクまたは上記光ディスクを位置決めして保持することができる。
【００４５】
このように上記ディスクテーブル２５により保持された光磁気ディスクまたは光ディスクは、上記スピンドルモータ２４により回転操作される。
【００４６】
上記カートリッジ位置決めピン１７，１８は、上記シャーシ１６上に突設されており、このシャーシ１６上に上記記録再生兼用のディスクカートリッジ１２０または上記再生専用のディスクカートリッジ１２１が載置されると、上記カートリッジ１０５，１１６の前方側及び後方側位置決め穴１０９，１１０に対応して嵌合されて、該カートリッジ１０５，１１６の位置決めを行う。
【００４７】
上記シャーシ１６の下面側には、光学ピックアップ装置２１が配設されている。この光学ピックアップ装置２１は、レーザダイオードの如き光源、この光源より発する光束を導く種々の光学デバイス及び受光素子を有し、対物レンズを介して上記光磁気ディスク及び上記光ディスクに光束を照射して、該光磁気ディスク及び光ディスクよりの情報信号の読み出しが行えるように構成されている。
【００４８】
この光学ピックアップ装置２１は、上記シャーシ１６の下面側に互いに平行となされて配設された一対のガイドシャフト２２，２３により、これらガイドシャフト２２，２３に沿って移動可能に支持されている。この光学ピックアップ装置２１は、上記各ガイドシャフト２２，２３に沿って移動されることにより、上記スピンドルモータ２４により回転操作される光磁気ディスク及び光ディスクの信号記録領域の全域よりの情報信号の読み出しが行えるようになされている。
【００４９】
上記光学ピックアップ装置２１には、連結アーム２６及びヘッドアーム２８を介して、ヘッド部となる磁気ヘッド装置３１が取り付けられている。上記連結アーム２６は、上記光学ピックアップ装置２１に基端側を取り付けられ、先端側を上記シャーシ１６の後端縁よりも後方側に延在させている。この連結アーム２６の先端側は、上方側に屈曲されている。この連結アーム２６の先端部には、板バネ２７を介して、上記ヘッドアーム２８の基端側が、該板バネ２７の厚み方向に揺動可能に取り付けられている。
【００５０】
上記磁気ヘッド装置３１は、図４に示すように、上記ヘッドアーム２８の先端側に、ジンバルバネ３０を介して、下方側に向いて取り付けられており、上記光学ピックアップ装置２１の対物レンズに対向している。この磁気ヘッド装置３１は、上記ヘッドアーム２８が上記板バネ２７の変位により揺動操作されることにより、上記対物レンズに対する接離方向に移動操作される。上記ジンバルバネ３０は、薄い板バネであって、厚み方向に変位することにより、上記磁気ヘッド装置３１の上下方向の移動を可能となしている。また、上記ヘッドアーム２８の先端側には、ストッパアーム２９が一体的に連設されて前端側に延在されている。このストッパアーム２９の先端側は、上記ジンバルバネ３０の上方側位置に屈曲されて掛止部３９となされている。そして、上記掛止部３９には、上記ジンバルバネ３０の先端側の上面部に取り付けられた掛止保持部材３３が掛止されている。この掛止保持部材３３は、弾性力の弱い細い糸状の部材であって、両端側を上記ジンバルバネ３０に固着されている。すなわち、この掛止保持部材３３は、上記ジンバルバネ３０よりも弱い弾性力を有して変位可能となされ、中央部分を、このジンバルバネ３０の上方側に延在可能となされている。上記掛止部３９には、上記掛止保持部材３３の中央部分が掛止されている。
【００５１】
なお、上記ジンバルバネ３０には、上記掛止部３９のこのジンバルバネ３０への当接を防止するための切り欠き部６３及びこのジンバルバネ３０の弾性力を調整するための透孔部６４が設けられている。
【００５２】
上記シャーシ１６上には、上記光学ピックアップ装置２１と上記磁気ヘッド装置３１との間に介在されて、ホルダとなるカートリッジホルダ１９が配設されている。すなわち、上記ヘッドアーム２８は、上記上蓋２とこのカートリッジホルダ１９との間に位置している。このカートリッジホルダ１９は、上記記録再生兼用のディスクカートリッジ１２０及び上記再生専用のディスクカートリッジ１２１が開放された前方側より挿入され得る薄い筐体状に形成されている。
【００５３】
このカートリッジホルダ１９は、後端側を、上記シャーシ１６の後方側に設けられた支持片部に対して、カートリッジホルダ支軸２０を介して、回動可能に支持されている。このカートリッジホルダ１９は、図６に示すように、上記シャーシ１６より離間する上方側に回動された位置であるアンローディング位置となされることにより、前方側よりの上記各ディスクカートリッジ１２０，１２１の挿入操作及び前方側への該各ディスクカートリッジ１２０，１２１の取り出し操作が行えるようになされている。
【００５４】
前方側より上記ディスクカートリッジ１２０，１２１を挿入されたカートリッジホルダ１９は、挿入されたディスクカートリッジ１２０，１２１を保持する。また、ディスクカートリッジ１２０，１２１は、上記カートリッジホルダ１９に挿入されることにより、上記シャッタ部材１０６，１１７を開蓋される。
【００５５】
そして、このカートリッジホルダ１９は、上面部の一側側部分に上記ヘッド装置３１が進入するための透孔３４が開設されており、また、下面側に上記ディスクテーブル２５及び上記各カートリッジ位置決めピン１７，１８が進入するとともに上記光学ピックアップ装置２１が上記各ディスクカートリッジ１２０，１２１に臨むための開口部が形成されている。
【００５６】
このカートリッジホルダ１９は、上記ディスクカートリッジ１２０，１２１を保持した状態で、上記シャーシ１６に近接する下方側に回動された位置であるローディング位置となされると、保持しているディスクカートリッジ１２０，１２１を上記各位置決めピン１７，１８及び上記ディスクテーブル２５に装着させる。すなわち、上記ローディング位置となされたカートリッジホルダ１９に保持されているディスクカートリッジ１２０，１２１は、上記カートリッジ１０５，１１６を上記各カートリッジ位置決めピン１７，１８により位置決めされるとともに、上記光磁気ディスクまたは上記光ディスクを上記ディスクテーブル２５により位置決めされて保持される。
【００５７】
なお、上記上蓋２の下面部には、前方側に位置して、上記カートリッジホルダ１９を上方側に吊り上げるための図示しない鈎状突片が設けられている。上記カートリッジホルダ１９の一側部の前方側には、上記鈎状突片に対応して、図示しない掛合片が設けられている。上記カートリッジホルダ１９が上記ローディング位置となされ、上記上蓋２が上記筐体本体１の上面部を閉蓋する閉蓋位置となされているときには、上記鈎状突片の先端側部分は、上記掛合片の下方側、すなわち、上記シャーシ１６側に、該掛合突片に対して所定の距離を隔てて位置している。上記上蓋２が上方側に回動されると、まず、上記鈎状突片の先端側部分が、上記掛合片の下面部に当接する。このとき、上記カートリッジホルダ１９は、未だ、上記ローディング位置となされている。そして、さらに、上記上蓋２が上方側に回動されると、上記カートリッジホルダ１９は、上記掛合片を上記鈎状突片により吊り上げられて、図６中矢印Ｂで示すように、上記アンローディング位置まで上方側に回動される。このとき、上記上蓋２と上記カートリッジホルダ１９との間には、該上蓋２が上記閉蓋位置であるときよりも広い空隙が形成されている。このように、上記鈎状突起の先端側部分と上記掛合片とが当接したときに上記上蓋２とカートリッジホルダ１９との間に形成された空隙は、このカートリッジホルダ１９が上記ローディング位置より上記アンローディング位置までに亘って回動されるとき、一定の距離に維持される。
【００５８】
上記開蓋位置となされた上蓋２を下方側に回動させると、先ず、上記カートリッジホルダ１９が上記ローディング位置まで回動され、次いで、上記鈎状突起の先端側部分と上記掛合片とが離間され、そして、この上蓋２が上記閉蓋位置となされる。
【００５９】
そして、上記カートリッジホルダ１９の上面部の他側側部分には、スライダ４１が取り付けられている。このスライダ４１は、上記カートリッジホルダ１９の一側面部に突設された前後一対の支持ピン４５，４６を前後一対の長穴に対応させて挿通させることにより、前後方向にスライド可能に支持されている。
【００６０】
このスライダ４１は、バネ掛止片４４を有し、このバネ掛止片４４と上記カートリッジホルダ１９の上面部に植設されたバネ掛止ピン４３との間に張架された付勢部材となる引っ張りコイルバネ４２により、図２中矢印Ｆで示すように、前方側に付勢されている。
【００６１】
上記スライダ４１には、上記透孔３４の側に向けて、ヘッド操作部材となるスライド板３２が一体的に突出形成されている。このスライド板３２は、上記スライダ４１が上記カートリッジホルダ１９に対してスライドされることにより、上記透孔３４を閉蓋する第１の位置と、この第１の位置よりも後方側に移動された位置であって該透孔３４を開蓋させる第２の位置とに亘って、前後方向に移動される。
【００６２】
上記スライド板３２は、上記引っ張りコイルバネ４２の付勢力により、上記第１の位置となる前方側に移動付勢されている。
【００６３】
そして、上記カートリッジホルダ１９の後方側位置には、透孔５４が設けられている。この透孔５４には、上記スライダ４１より下方側に向けて一体的に突設された当接部材となる当接片部５５が挿通されている。すなわち、この当接片部５５は、上記透孔５４を介して、上記カートリッジホルダ１９内に進入されている。この当接片部５５は、上記カートリッジホルダ１９に上記ディスクカートリッジ１２０，１２１が挿入操作されたとき、このディスクカートリッジ１２０，１２１の前端部に当接され、図３中矢印Ｄで示すように、後方側に押圧操作される。
【００６４】
上述のように本発明に係るディスクドライブ装置を有して構成された記録及び再生装置においては、初期状態においては、図２及び図５に示すように、上記カートリッジホルダ１９が上記ローディング位置となされ、上記スライダ４１が前方側位置となされて上記スライド板３２が上記第１の位置となされている。このとき、上記磁気ヘッド装置３１は、上記スライド板３２上に載置されて支持されている。上記ジンバルバネ３０は、上記スライド板３２により、上記ヘッドアーム２８の延長上となるように上方側に変位され、上記磁気ヘッド装置３１の該ヘッドアーム２８よりの高さ方向の距離を短くしている。また、このとき、上記磁気ヘッド装置３１は、上記スライド板３２に阻止され、上記カートリッジホルダ１９内に進入することがない。
【００６５】
上記カートリッジホルダがアンローディング位置となされると、図６に示すように、上記カートリッジホルダ１９への上記ディスクカートリッジ１２０，１２１の挿入操作が可能となる。
【００６６】
上記ディスクカートリッジ１２０，１２１が上記カートリッジホルダ１９に挿入されると、図３及び図７に示すように、上記スライダ４１が上記当接片５５を介して押圧されて後方側に移動され、上記スライド板３２は、上記引っ張りコイルバネ４２の付勢力に抗して、上記第２の位置に保持される。
【００６７】
したがって、このとき、上記磁気ヘッド装置３１は、上記スライド板３２に阻害されることなく、上記カートリッジホルダ１９内への進入が可能となされている。
【００６８】
そして、上記カートリッジホルダ１９が上記ローディング位置となされることにより、上記ディスクカートリッジ１２０，１２１は、図７に示すように、上記シャーシ１６上に装着される。
【００６９】
上記磁気ヘッド装置３１は、上記透孔３４が開蓋されていることにより、該透孔３４を介して、該カートリッジホルダ１９内に進入する。このとき、上記ジンバルバネ３０は、上記掛合保持部材３３を上下方向に変位させつつ、下方側に変位する。
【００７０】
そして、この磁気ヘッド装置３１は、上記記録再生兼用のディスクカートリッジ１２０の光磁気ディスクに摺接する。すなわち、上記シャーシ１６上に装着された上記記録再生兼用のディスクカートリッジ１２０においては、上記光磁気ディスクの下面部に対して上記光学ピックアップ装置２１の対物レンズが対向されるとともに、該光磁気ディスクの上面部に上記磁気ヘッド装置３１が摺接されるそして、この記録及び再生装置においては、上記記録再生兼用のディスクカートリッジ１２０が上記シャーシ１６上に装着されることより、この記録再生兼用のディスクカートリッジ１２０の光磁気ディスクに対する情報信号の記録及び再生を行うことができる。
【００７１】
また、上記再生専用のディスクカートリッジ１２１は、上記シャーシ１６上に装着されることにより、上記光ディスクに対して、上記光学ピックアップ装置２１の対物レンズを対向される。そして、この記録及び再生装置においては、このように、上記再生専用のディスクカートリッジ１２１が上記シャーシ１６上に装着されることより、この再生専用のディスクカートリッジ１２１の光ディスクよりの情報信号の再生を行うことができる。
【００７２】
上記ディスクカートリッジ１２０，１２１が上記シャーシ１６上に装着された状態において、図６に示すように、上記カートリッジホルダ１９が上記アンローディング位置に回動されると、該ディスクカートリッジ１２０，１２１は、上記カートリッジホルダ１９より取り出されることが可能となされている。
【００７３】
上記スライダ４１は、上記引っ張りコイルバネ４２の付勢力により、上記当接片部５５を介して、上記ディスクカートリッジ１２０，１２１を前方側に押圧し、該ディスクカートリッジ１２０，１２１を上記カートリッジホルダ１９より排出させる。そして、上記スライド板３２は、上記ディスクカートリッジ１２０，１２１が上記カートリッジホルダ１９より抜き取られることにより、上記第１の位置に復帰される。
【００７４】
また、上記ディスクカートリッジ１２０，１２１は、上記カートリッジホルダ１９より抜き出されることにより、上記シャッタ部材１０６，１１７を閉蓋される。
【００７５】
【発明の効果】
上述のように、本発明に係るディスクドライブ装置においては、記録媒体が挿入されてこの記録媒体を保持するホルダ部材に対して記録媒体の挿脱方向に移動可能に配設され該ホルダ部材内へのヘッド装置の進入を阻止する第１の位置と該ホルダ部材内への該ヘッド装置の進入を可能となす第２の位置とに亘って移動操作可能なヘッド操作部材は、該ホルダ部材に該記録媒体が挿入操作されていないときには、付勢部材の付勢力によって、該第１の位置となされ、該ヘッド装置を保持するとともに、該ホルダ部材に挿入される記録媒体が該ヘッド装置に衝突することを確実に防止する。
すなわち、本発明は、記録及び再生装置において、ホルダ部材へ挿入操作される記録媒体のヘッド装置への衝突を確実に防止できるとともに、該ヘッド装置を支持するジンバルバネを振動や衝撃より保護できるようになされたディスクドライブ装置を提供することができるものである。
【図面の簡単な説明】
【図１】本発明に係るディスクドライブ装置を有して構成された記録及び再生装置の外観の構成を示す斜視図である。
【図２】本発明に係るディスクドライブ装置の要部の構成を示す斜視図である。
【図３】上記図２に示した記録及び再生装置にディスクカートリッジが装着された状態を示す斜視図である。
【図４】上記ディスクドライブ装置の要部である磁気ヘッド支持アームの構成を示す要部拡大斜視図である。
【図５】上記ディスクドライブ装置の要部の構成を示す側面図である。
【図６】上記記録及び再生装置が開蓋操作された状態における上記ディスクドライブ装置の要部の構成を示す側面図である。
【図７】上記ディスクドライブ装置にディスクカートリッジが装着された状態を示す側面図である。
【図８】上記記録及び再生装置において記録媒体として使用される記録再生兼用のディスクカートリッジの構成を示す上面側より臨んだ斜視図である。
【図９】上記記録再生兼用のディスクカートリッジの構成を示す底面側より臨んだ斜視図である。
【図１０】上記記録及び再生装置において記録媒体として使用される再生専用のディスクカートリッジの構成を示す上面側より臨んだ斜視図である。
【図１１】上記再生専用のディスクカートリッジの構成を示す底面側より臨んだ斜視図である。
【符号の説明】
１９  カートリッジホルダ
２８  ヘッドアーム
２９  ストッパアーム
３０  ジンバルバネ
３１  磁気ヘッド
３２  スライド板
４１  スライダ
４２  引っ張りコイルバネ
５５  当接片部
１２０  記録再生兼用のディスクカートリッジ
１２１  再生専用のディスクカートリッジ
【図１】
0003813189.tif 000002
【図２】
0003813189.tif 000003
【図３】
0003813189.tif 000004
【図４】
0003813189.tif 000005
【図５】
0003813189.tif 000006
【図６】
0003813189.tif 000007
【図７】
0003813189.tif 000008
【図８】
0003813189.tif 000009
【図９】
0003813189.tif 000010
【図１０】
0003813189.tif 000011
【図１１】
0003813189.tif 000012